(57)【要約】【課題】カセグレン式対物鏡よりも光利用率が改善され、低倍率での全反射測定が可能で、従来型の対物鏡との互換性を維持できる大きさの全反射測定装置を提供すること。【解決手段】全反射測定装置１は、中心軸Ｐ１上に配置される一対の平面鏡２ａ，２ｂと、その一方の測定光側の平面鏡２ａに対向する中間鏡４ａと、他方の全反射光側の平面鏡２ｂに対向する中間鏡４ｂと、それぞれの中間鏡４ａ，４ｂに対向して設けられた一対の楕円面鏡６ａ，６ｂと、一対の平面鏡よりも試料側の中心軸Ｐ１上に設けられたＡＴＲプリズム８とを備える。測定光側の楕円面鏡６ａは、中間鏡４ａおよび平面鏡２ａによる該楕円面鏡の一方の焦点に対する像点Ｃ１が中心軸Ｐ１上となり、かつ、中間鏡４ａによる該楕円面鏡の他方の焦点に対する像点Ｃ２も中心軸Ｐ１上となるように設けられ、ＡＴＲプリズム８と試料との境界面が、前記像点Ｃ２と一致している。【選択図】      図２
2018194444.tif 000002
【特許請求の範囲】
【請求項１】
全反射測定装置は、試料に対して反射光学系を有する顕微装置に取付けられる全反射測定装置であって、
入射される測定光および出射する全反射光の共通の光軸を中心軸として、該中心軸上に配置される一対の平面鏡と、前記一対の平面鏡のうちの測定光側の平面鏡を反射した測定光を受ける位置に設けられた中間鏡と、前記一対の平面鏡のうちの全反射光側の平面鏡に対向する位置で前記中心軸に対して前記中間鏡とは反対側に設けられた全反射光側の中間鏡と、前記測定光側の中間鏡に対向して設けられた測定光側の対物鏡としての楕円面鏡と、前記全反射光側の中間鏡に対向して設けられた全反射光側の対物鏡としての楕円面鏡と、前記一対の平面鏡よりも試料側の前記中心軸上に設けられたＡＴＲ結晶と、を備え、
前記測定光側の楕円面鏡は、前記測定光側の中間鏡および前記測定光側の平面鏡による該楕円面鏡の一方の焦点に対する像点が前記中心軸上となり、かつ、前記測定光側の中間鏡による該楕円面鏡の他方の焦点に対する像点が前記一対の平面鏡よりも試料側において前記中心軸上となるように設けられ、
前記ＡＴＲ結晶と試料との境界面は、前記楕円面鏡の他方の焦点の像点と一致し、
前記全反射光側の楕円面鏡は、前記全反射光側の中間鏡による該楕円面鏡の他方の焦点に対する像点が前記測定光側の楕円面鏡の他方の焦点の像点と一致し、かつ、前記全反射光側の中間鏡および前記全反射光側の平面鏡による該楕円面鏡の一方の焦点に対する像点が前記測定光側の楕円面鏡の一方の焦点の像点と一致するように設けられていることを特徴とする全反射測定装置。
【請求項２】
請求項１記載の装置において、前記ＡＴＲ結晶は、挿抜式として退避可能に設けられていることを特徴とする全反射測定装置。
【請求項３】
請求項１または２記載の装置において、前記ＡＴＲ結晶は、光入出射部が球面の一部で形成された半球型結晶素子であることを特徴とする全反射測定装置。
【請求項４】
請求項１または２記載の装置において、前記ＡＴＲ結晶は、光入出射部が平面で形成された結晶素子であることを特徴とする全反射測定装置。
【請求項５】
請求項３または４記載の装置において、前記ＡＴＲ結晶は、試料との境界面の周囲において、前記境界面に対して斜め方向に形成されたテーパー面を有することを特徴とする全反射測定装置。
【請求項６】
請求項１から５のいずれかに記載の装置において、前記ＡＴＲ結晶の代わりに、当該ＡＴＲ結晶と同じ光学的光路長を有する透明平板が、前記中間鏡から試料までの光路上において、前記中心軸に対して対称となる位置に挿入されていることを特徴とする全反射測定装置。
【発明の詳細な説明】
【技術分野】
【０００１】
本発明は赤外光による全反射吸収スペクトル測定を可能とする装置、特に、ＡＴＲプリズムを保持可能に構成された対物鏡の改良に関する。
【背景技術】
【０００２】
全反射測定（ＡＴＲとも呼ぶ。）法とは、試料よりも大きい屈折率のプリズム（結晶）を試料に密着させ、その境界面で全反射が起こる入射角で測定光を入射させ、全反射光のスペクトルを検出し、試料の吸収特性を測定する手法である。光の吸収の強い物質、例えば赤外域でのスペクトル測定が難しい水溶液中の溶質の分析などに適する。特に、試料の微小部位を分析する際には、試料に対して反射光学系を有する赤外顕微分光装置が用いられる。
【０００３】
特許文献１には、全反射測定を可能とする赤外顕微分光装置が開示されている。この顕微装置には、ＡＴＲプリズムを保持したカセグレン式の対物鏡が取り付けられている。対物鏡は、中央に孔の開いた凹面鏡よりなる主鏡と、この主鏡より径の小さい凸面鏡よりなる副鏡とから構成され、主鏡と副鏡が中心軸を一致させて対向配置されている。また、ＡＴＲプリズムは保持枠の先端部に取付けられ、カセグレン鏡の集光位置と一致するように配置されている。
【０００４】
通常は、試料との密着部分の１点だけしか全反射測定できない。しかし、近年、ＡＴＲプリズムと試料との密着状態を動かさずに、密着状態のまま、一定の領域をマッピング測定する（いわゆるスマートマッピング）手法が広まってきた。例えば、特許文献２の全反射測定装置のように、試料とＡＴＲプリズムの密着面からの光は、カセグレン鏡によって集光され、検出側スキャンミラーへ向かう。検出側スキャンミラーの反射面の向きをある方向に固定した場合、その反射面の向きに対応した試料面上の特定箇所からの光のみが検出器側のアパーチャーを通過し、その他の部位からの光は遮断される。つまり、検出器側スキャンミラーの向きを変えることによって、アパーチャーに対する接触面上での共役位置を変更できる。このようにして、試料自体を移動させることなく密着面上の測定位置を走査させて、密着状態のまま一定の領域をマッピング測定できる。
【先行技術文献】
【特許文献】
【０００５】
【特許文献１】特開２００１−１４７３７９号公報（図２）
【特許文献２】特開２００６−２０８０１６号公報（図１）
【発明の概要】
【発明が解決しようとする課題】
【０００６】
従来のカセグレン式の対物鏡の場合、その副鏡が凸面鏡で構成されているから、測定光の集光時、および全反射光の検出時において、光利用率がそれぞれ悪いという課題があった。
つまり、対物鏡が顕微装置の光軸上に取付けられた状態で、測定光は、カセグレンの副鏡→主鏡→プリズムの順に光路を形成する。この場合、副鏡の凸面と中心軸との交点およびその付近に入射する測定光は、副鏡を反射しても、主鏡の凹面に入射しないで主鏡の中心孔を通って逃げてしまうか、あるいは、主鏡の凹面に入射できたとしても、その反射光がプリズム以外の方向へ進んでしまうか、のいずれかになる。このように、カセグレンの副鏡には、利用されない測定光が入射する範囲を有していて、測定光の光利用率が不十分だった。
同様に、プリズムと試料の境界面からの全反射光についても、プリズム→カセグレンの主鏡→副鏡の順に光路を形成する。この場合、副鏡の凸面と中心軸との交点およびその付近は、プリズムからの全反射光の反射に寄与できない。カセグレンの副鏡には、このように全反射光の反射に寄与しない範囲を含んでおり、全反射光に関する光利用率も不十分であった。
【０００７】
また、カセグレン式の対物鏡の場合、その倍率が比較的高く、対物鏡自体をコンパクトに設計できるというメリットがある一方で、高倍率であるがゆえに、上記のマッピング測定の対象領域が狭くなってしまうという課題があった。仮に、カセグレン鏡以外の構成で低倍率の対物鏡を構成すると、それだけでは対物鏡自体が大きくなってしまい、従来のカセグレン式の対物鏡との互換性が得られなくなる。
【０００８】
本発明は上記課題に鑑みなされたものであり、カセグレン式対物鏡よりも光利用率を改善することができ、かつ、カセグレン式対物鏡よりも低い倍率で全反射測定を可能とする全反射測定装置であって、しかも、従来の高倍率の対物鏡との互換性を維持できる大きさの全反射測定装置を提供することを目的とする。
【課題を解決するための手段】
【０００９】
本発明に係る全反射測定装置は、中心軸上に一対の平面鏡を配置して光利用率を改善し、また、楕円面鏡による低倍率の集光機能を有し、さらに中間鏡によってコンパクト化を実現したものである。
すなわち、全反射測定装置は、試料に対して反射光学系を有する顕微装置（１０）に取付けられる全反射測定装置（１）であって、
入射される測定光および出射する全反射光の共通の光軸を中心軸（Ｐ１）として、該中心軸（Ｐ１）上に配置される一対の平面鏡と、前記一対の平面鏡のうちの測定光側の平面鏡（２ａ）を反射した測定光を受ける位置に設けられた中間鏡（４ａ）と、前記一対の平面鏡のうちの全反射光側の平面鏡（２ｂ）に対向する位置で前記中心軸（Ｐ１）に対して前記中間鏡（４ａ）とは反対側に設けられた全反射光側の中間鏡（４ｂ）と、前記測定光側の中間鏡（４ａ）に対向して設けられた測定光側の対物鏡としての楕円面鏡（６ａ）と、前記全反射光側の中間鏡（４ｂ）に対向して設けられた全反射光側の対物鏡としての楕円面鏡（６ｂ）と、前記一対の平面鏡よりも試料側の前記中心軸（Ｐ１）上に設けられたＡＴＲ結晶（８）と、を備える。
【００１０】
ここで、前記測定光側の楕円面鏡（６ａ）は、前記測定光側の中間鏡（４ａ）および前記測定光側の平面鏡（２ａ）による該楕円面鏡の一方の焦点に対する像点（Ｃ１）が前記中心軸（Ｐ１）上となり、かつ、前記測定光側の中間鏡（４ａ）による該楕円面鏡の他方の焦点に対する像点（Ｃ２）が前記一対の平面鏡よりも試料側において前記中心軸（Ｐ１）上となるように設けられ、
前記ＡＴＲ結晶（８）と試料との境界面は、前記楕円面鏡の他方の焦点の像点（Ｃ２）と一致し、
前記全反射光側の楕円面鏡（６ｂ）は、前記全反射光側の中間鏡（４ｂ）による該楕円面鏡の他方の焦点に対する像点が前記測定光側の楕円面鏡（６ａ）の他方の焦点の像点（Ｃ２）と一致し、かつ、前記全反射光側の中間鏡（４ｂ）および前記全反射光側の平面鏡（２ｂ）による該楕円面鏡の一方の焦点に対する像点が前記測定光側の楕円面鏡の一方の焦点の像点（Ｃ１）と一致するように設けられていることを特徴とする。
【００１１】
以上の構成であれば、測定光側の楕円面鏡（６ａ）は、その一方の焦点の像点（Ｃ１）を通って中心軸（Ｐ１）に沿って入射された測定光を、その他方の焦点の像点（Ｃ２）であるＡＴＲ結晶の境界面に集光させる。同時に、全反射光側の楕円面鏡（６ｂ）は、境界面で生じる全反射光を、測定光側の楕円面鏡の一方の焦点の像点（Ｃ１）と同じ点に中心軸（Ｐ１）に沿って集光させる。
顕微装置の光軸上に一対の平面鏡が配置されており、入射される測定光のうちの中心軸付近の光も測定に利用できる。また、全反射光側の平面鏡のうちの中心軸付近の反射面が全反射光の集光に寄与する。従って、カセグレン式対物鏡よりも光利用率が改善される。かつ、カセグレン鏡に代えて楕円面鏡を対物鏡として利用しているので、カセグレン式対物鏡よりも低い倍率で全反射測定を実行できる。しかも、中間鏡を設けているので、低倍率化しても装置の大きさを従来の高倍率の対物鏡と同程度のスペースに納めることができる。
【００１２】
また、本装置において、前記ＡＴＲ結晶は、挿抜（さしぬき）式として退避可能に設けられていることが好ましい。
以上の装置であれば、ＡＴＲ結晶を挿抜式として退避させることで、全反射測定から反射観察や反射測定への切り換えが可能となる。
【００１３】
また、本装置において、前記ＡＴＲ結晶は、光入出射部が球面の一部で形成された半球型結晶素子であることが好ましい。つまり、測定光および全反射光に対する集光作用が生じる。ここで、半球型結晶素子には、完全な半球面を有さずに、少なくとも球面の一部を含んでいるような結晶素子が含まれる。このような装置であれば、半球型のＡＴＲ結晶を使用するので、ＡＴＲ結晶の屈折率分だけ測定倍率を向上させることができる。
【００１４】
一方、本装置において、前記ＡＴＲ結晶は、光入出射部が平面で形成された結晶素子であることが好ましい。このようなＡＴＲ結晶をここでは光入出射部平面型の結晶素子と呼び、例えば、三角柱型や五角柱型などの結晶素子が含まれる。以上の装置であれば、ＡＴＲ結晶における測定光の入射面および全反射光の出射面が平面であることで、ＡＴＲ結晶での集光作用は生じず、全反射測定においても対物鏡による低倍率の測定を維持することができる。
【００１５】
ここで、前記ＡＴＲ結晶は、試料との境界面の周囲において、前記境界面に対して斜め方向に形成されたテーパー面を有することが好ましい。テーパー面は多少丸みを帯びた曲面にしてもよい。ＡＴＲ結晶の内部を進行する光の経路に応じて、テーパー面を形成するとよい。ＡＴＲ結晶の境界面の周囲にテーパー面を積極的に設けることで、ＡＴＲ結晶と試料との接触面積が必要以上に大きくならずに済み、微小量の試料での測定が可能になるなどの効果が得られる。
【００１６】
また、本装置において、前記ＡＴＲ結晶の代わりに、当該ＡＴＲ結晶と同じ光学的光路長を有する透明平板が、中間鏡から試料までの光路上において、中心軸に対して対称となる位置に挿入されていることが好ましい。このような各光学素子の配置の一例を図５に示す。図５中の符号８Ｂ，８Ｃが透明平板に相当する。
以上の装置であれば、光入出射部平面型のＡＴＲプリズムの代わりに同じ光学的光路長を有する透明平板を、中心軸に対して対称な位置に挿入することで、全反射測定と反射観察（または反射測定）の焦点位置が一致する。従って、全反射測定から反射観察や反射測定への切り換えをスムーズに実行できる。このような切り換えの一例を図４および図５に示す。図４中の符号８Ａが光入出射部平面型のＡＴＲプリズムに相当し、これを用いて全反射測定が実行される。また、図５のように、光入出射部平面型のＡＴＲプリズムに代えて、透明平板を用いることで、全反射測定から反射観察や反射測定への切り換えが可能になる。
【発明の効果】
【００１７】
本発明の全反射測定装置であれば、カセグレン式対物鏡よりも光利用率が改善されるので、測定精度が向上する。かつ、カセグレン式対物鏡よりも低い倍率で全反射測定を実行することができるので、全反射および反射測定の測定領域が広くなる。しかも、低倍率化しても装置の大きさを従来の高倍率の対物鏡と同程度にすることができるので、従来の高倍率の対物鏡との互換性を維持することができる。
【図面の簡単な説明】
【００１８】
【図１】本発明の一実施形態にかかる赤外顕微装置の概略構成図である。
【図２】図１に示すＡＴＲ装置（全反射測定装置）の説明図である。
【図３】前記ＡＴＲ装置の別の形態を示す図である。
【図４】前記ＡＴＲ装置の更に別の形態を示す図である。
【図５】図４のＡＴＲ装置を反射観察または反射測定に用いる場合の形態を示す図。
【発明を実施するための形態】
【００１９】
以下に図面を参照して本発明の好適な実施形態について説明を行う。図１は本発明にかかる実施形態の赤外顕微装置の概略構成図であり、いわゆるスマートマッピング機能を有するものを一例として説明する。本実施形態の赤外顕微装置１０は、ＡＴＲ装置（全反射測定装置）１と、赤外光源１２と、光源からの赤外光に基づいて赤外干渉光（測定光）を発生させるマイケルソン干渉計１４と、照射側アパーチャー１６と、アパーチャー１６からＡＴＲ装置１へ至る光路上に設置された照射側スキャンミラー１８と、ＡＴＲ装置１から検出側アパーチャー２２へと至る光路上に設置された検出側スキャンミラー２０と、検出器２６へ向う全反射光を当接面内の試料の特定部位からの光に制限する検出側アパーチャー２２と、集光鏡２４と、全反射光を検出するリニアアレイ検出器などの検出器２６と、を備えている。
【００２０】
ＡＴＲ装置１は、赤外顕微装置に着脱自在に構成される。本発明において特徴的なことは、低倍率の全反射スペクトルおよび被測定物の観察と、光利用率を向上させることとを同時に行えるようにしたことであり、このために本実施形態においては、図２に拡大して示すような楕円面鏡６を対物鏡とするＡＴＲ装置１を設けている。ＡＴＲ装置１は、筐体３を有し、その中心軸Ｐ１が、入射される測定光および出射する全反射光の共通の光軸と一致するように赤外顕微鏡に取付けられる。中心軸Ｐ１上に、一対の平面状の鏡面２ａ，２ｂを有する平面鏡２と、この平面鏡２よりも試料側に略半球形のＡＴＲプリズム８と、が配置され、それぞれ取付部材５ａ，５ｂを介して筐体３に取り付けられている。ＡＴＲプリズム８は、その凸面を平面鏡２に向けて、その中心軸をＡＴＲ装置の中心軸Ｐ１に一致させ、その半球面の中心点を以下に示す楕円面鏡６ａ，６ｂによる光収束位置に一致させて配置可能とされている。
【００２１】
平面鏡２の２つの鏡面２ａ，２ｂは、ある角度を成して交わっており、共通の稜線を有する。この稜線は中心軸Ｐ１に直交し、２つの鏡面２ａ，２ｂの位置と姿勢は中心軸Ｐ１に対称となるように取り付けられている。照射側スキャンミラー１８からの測定光は、測定光側の鏡面２ａに入射され、同時に、ＡＴＲ装置１で集光した全反射光は、全反射光側の鏡面２ｂを反射して、中心軸Ｐ１に沿って検出側スキャンミラー２０に向けて出射するようになっている。
【００２２】
また、筐体３には、一対の中間鏡４ａ，４ｂが、その位置および姿勢が中心軸Ｐ１に対して対称となるように、取付部材７ａ，７ｂを介して取り付けられている。さらに、一対の楕円面鏡６ａ，６ｂが、その位置および姿勢が中心軸Ｐ１に対して対称となるように、取付部材９ａ，９ｂを介して筐体に取り付けられている。これら一対の鏡体６ａ，６ｂは、それぞれ左右対称の形状を有する。
【００２３】
まず、ＡＴＲ装置１の平面鏡２からＡＴＲプリズム８までの測定光の光路を形成する光学素子について説明する。
【００２４】
測定光側の中間鏡４ａにおける平面状の鏡面は、平面鏡２における測定光側の鏡面２ａに対向している。また、測定光側の楕円面鏡６ａは、楕円体表面の一部からなる曲面状の鏡面を有し、中間鏡４ａの鏡面に対向している。そして、鏡面２ａを反射した測定光は、中間鏡４ａを反射し、さらに楕円面鏡６ａを反射し、再び、中間鏡４ａに返される。ここで、測定光の光束に関して、測定光側の楕円面鏡６ａの一方の焦点は、測定光側の中間鏡４ａおよび測定光側の平面鏡２ａによる像点の位置に形成される。その像点はちょうど中心軸Ｐ１上となる。ただし、本実施形態では、中心軸Ｐ１上に照射側スキャンミラー１８が配置されているため、楕円面鏡６ａの一方の焦点は、そのミラー１８による像点Ｃ１の位置に形成される。そして、その像点Ｃ１の位置が照射側アパーチャー１６の位置に一致する。また、測定光側の楕円面鏡６ａの他方の焦点は、測定光側の中間鏡４ａによる像点Ｃ２の位置に形成される。そして、ＡＴＲプリズム８と試料との境界面は、楕円面鏡の他方の焦点の像点Ｃ２と一致しているから、楕円面鏡６ａから中間鏡４ａに返された測定光は、中間鏡４ａを反射して、ＡＴＲプリズム８に向かって進む。
【００２５】
言い換えると、測定光側の楕円面鏡６ａは、一方の焦点の像点Ｃ１に位置する照射側アパーチャー１６を通過した測定光を、他方の焦点の像点Ｃ２に位置するＡＴＲプリズム８に集光させる。ＡＴＲプリズム８において、球面の一部からなる入射面から入射した測定光は、半球面の集光作用を受けて、その曲率半径の中心位置、つまり、試料との接触面に集光する。
【００２６】
次に、ＡＴＲプリズム８で発生した全反射光が平面鏡２によってＡＴＲ装置１の外部に出るまでの全反射光の光路を形成する光学素子について説明する。
【００２７】
全反射光側の中間鏡４ｂは、中心軸Ｐ１に対して一方の中間鏡４ａとは対照な位置・姿勢で取り付けられている。同様に、全反射光側の楕円面鏡６ｂも、中心軸Ｐ１に対して一方の楕円面鏡６ａとは対照な位置・姿勢で取り付けられている。そのため、試料との当接面で発生した全反射光は、球面の一部からなる出射面による集光作用を受けて、全反射光側の中間鏡４ｂを反射し、さらに楕円面鏡６ｂを反射し、再び、中間鏡４ｂに返される。ここで、全反射光の光束に関して、全反射光側の楕円面鏡６ｂの一方の焦点は、全反射光側の中間鏡４ｂおよび全反射光側の平面鏡２ｂによる像点の位置に形成される。その像点はちょうど中心軸Ｐ１上となる。ただし、本実施形態では、中心軸Ｐ１上に検出側スキャンミラー２０が配置されているため、楕円面鏡６ｂの一方の焦点は、そのミラー２０による像点Ｃ３の位置に形成される。そして、その像点Ｃ３の位置が検出側アパーチャー２２の位置に一致する。また、全反射光側の楕円面鏡６ｂの他方の焦点は、全反射光側の中間鏡４ｂによる像点の位置に形成され、この像点の位置は、測定光側の楕円面鏡６ａの他方の焦点の像点Ｃ２と一致する。
【００２８】
従って、全反射光側の楕円面鏡６ｂは、他方の焦点の像点Ｃ２で生じた全反射光を、一方の焦点の像点Ｃ３に位置する検出側アパーチャー２２に集光させる。そして、アパーチャー２２を通過した全反射光は、集光鏡２４で集光されて、検出器２６に入射する。
【００２９】
なお、楕円面鏡６ａ，６ｂの曲面状の反射面は、それぞれ２つの焦点を持った楕円体の表面の一部で形成されている。楕円面鏡の反射面上の中央位置と各焦点とを結ぶ２つの線分の成す角度が、極力小さい方がよい。その角度は、楕円面鏡６ａ，６ｂの軸外し角に相当し、４０度以下、好ましくは３０度以下に設定するとよい。軸外し角が小さい方が、結像性能が良くなるからである。
【００３０】
ＡＴＲプリズム８としては、例えば、試料との接触面と反対側の面（光の入射／出射面）が半球状であり、試料との接触面側が断面逆台形状（台形の短い片が接触面を形成する。）のものを用いてもよい。接触面に対して斜め方向に形成された面をテーパー面と呼ぶ。つまり、試料との接触部分が突き出た形状のものを用いる。また、略両凸レンズ状で、対向する二つの曲面がそれぞれ異なる曲率半径および中心を有するものを用いてもよい。ただし、本発明に用いるＡＴＲプリズムとしてはこれらの形状に限定されない。また、ＡＴＲプリズムの材質としてはＧｅ、ＺｎＳｅ、ダイヤモンドなどが一般的である。
【００３１】
低倍率での全反射スペクトル測定の実現
全反射スペクトルを測定する場合には、干渉計１４から得られる赤外干渉光をスキャンミラー１８で反射させて入射光を形成し、ＡＴＲ装置１に入射する。そして、自動ステージ４２上の試料Ｓとの当接面にて発生した全反射光はＡＴＲ装置１からの出射光となる。出射光はスキャンミラー２０で反射され、アパーチャー２２を通過する。そして、検出器２６でその光強度が検出され、その検出信号がデータ処理回路２８に供給される。この際、データ処理回路２８は、別途取得するサンプリング信号に同期して、検出器２６からの光強度信号を読み取り、フーリエ変換等、公知の信号処理をおこなって赤外吸収スペクトルを求める。
【００３２】
以上の構成によれば、対物鏡として、小さい軸外し角を有する楕円面鏡６ａ，６ｂを採用しているので、２〜８倍程度の小さな縮小率でのスペクトル測定を実現できる。また、図１の紙面上に展開する面に、ＡＴＲ装置１の光学素子群（一対の中間鏡４ａ，４ｂおよび一対の楕円面鏡６ａ，６ｂ）が配置されており、図１の紙面に直交する面にリニアアレイ検出器２６の複数の画素が並んでいる。このように、試料面におけるリニアアレイ検出器２６の配置と直交する面に光学素子を配置することで、リニアアレイ検出器２６に対する結像性の高い対物鏡を構成できる。
【００３３】
また、中心軸Ｐ１上に平面鏡２を配置したことで、光利用率が高くなった。そのため、顕微光学系またはＦＴＩＲ光学系の焦点位置にマルチアパーチャを配置することによって、十分な光量を保ちながら、空間分解能の向上も可能となる。また、光利用率が非常に高くなるので、ＴＧＳ検出器でも良好なスペクトルの取得が行える。
【００３４】
しかも、中間鏡４ａ，４ｂを設けているので、低倍率化しても装置の大きさを従来の高倍率の対物鏡と同程度のスペースに納めることができる。よって、従来の高倍率の対物鏡との互換性を維持することができる。
【００３５】
図３に、図２のＡＴＲ装置１の下部のプリズム用の取付部材５ｂを外した状態のＡＴＲ装置１Ａの構成を示す。ＡＴＲプリズム８を外すだけで、測定光は焦点Ｃ４に集光する。焦点Ｃ４は、プリズム８がある場合の焦点Ｃ２と同じ位置である。ＡＴＲ装置１Ａに取り付けられた各光学素子の位置および姿勢を微調整することにより、測定光を楕円面鏡６ａの焦点Ｃ４に集光させることができるので、試料の反射測定に適用した対物鏡になる。このように、本発明のＡＴＲ装置の構成であれば、低倍率の反射測定にも、低倍率のＡＴＲ測定にも適用した対物鏡を提供できる。
【００３６】
広い視野に対するマッピング測定の実現
本実施形態の赤外顕微装置１０は、マッピング測定機能を有する。照射側スキャンミラー１８の反射面の向きは、コントローラー３０によって制御され、測定部位（測定光の結像位置）を様々に移動させることができる。また、ＡＴＲ装置１からの全反射光は、検出側スキャンミラー２０へと送られる。検出側スキャンミラー２０では試料からの全反射光を反射しアパーチャー２２へと送る。ここで検出側スキャンミラー２０の反射面の向きも、コントローラー３０によって制御され、選択された測定部位からの光のみをアパーチャー２２の開口に向けることができる。アパーチャー２２では測定部位以外からの反射光を遮断し、測定部位からの光のみが通過する。このように、アパーチャー２２の当接面内における共役位置を変更することができる。
【００３７】
従って、照射側スキャンミラー１８および検出側スキャンミラー２０の反射面の向きをそれぞれ変更して測定を繰り返すことにより、試料に対するＡＴＲプリズム８の当接位置を変えることなく、ＡＴＲプリズム８と試料面との当接面領域の二次元マッピング測定を行うことができる。そして、対物鏡として、小さい軸外し角を有する楕円面鏡６ａ，６ｂを採用しているので、２〜８倍程度の小さな縮小率による広い視野に対する面分析が実現し、ＡＴＲプリズム８を試料へ密着させた状態で広い領域のイメージング測定が可能となる。例えば、イメージング範囲を１００μｍ角から２０００μｍ角に倍増することができて、非常に画期的な拡張になる。
【００３８】
更なる低倍率分析の実現
図４に、半球状のＡＴＲプリズム８に代えて、取付部材５ｃに保持された光入出射部平面型プリズム８Ａを採用した場合のＡＴＲ装置１Ｂの構造を示す。光入出射部平面型プリズム８Ａは、平面に形成された測定光の入射面と全反射光の出射面とを有する。図２のＡＴＲ装置１と同じ光学素子を使って、個々の光学素子の位置および姿勢を微調整することにより、測定光を楕円面鏡６ａの焦点Ｃ５に集光させることができる。そして、光入出射部平面型プリズム８Ａの試料との当接面を焦点Ｃ５に一致させることで、楕円面鏡６ａの倍率（例えば４倍）の全反射測定を実行できる。
ＡＴＲプリズム８Ａは、試料との境界面（当接面）の周囲において、境界面に対して斜め方向に形成されたテーパー面を有している。全体形状は、断面が５角形の角柱と言える。テーパー面は、ＡＴＲプリズム８Ａの内部を進行する光の経路に応じて形成されている。ＡＴＲプリズム８Ａの境界面の周囲にテーパー面を積極的に設けることで、ＡＴＲプリズム８Ａと試料との接触面積が必要以上に大きくならずに済み、微小量の試料での測定が可能になるなどの効果が得られる。
【００３９】
低倍率の全反射測定と反射測定とのスムーズな切換
図５に、図４の光入出射部平面型プリズムの代わりに、当該プリズムと同じ光学的光路長を有する一対の透明平板８Ｂ，８Ｃを取付部材５ｄにて取り付けた場合のＡＴＲ装置の構造を示す。中間鏡４ａ，４ｂから試料までの光路上において、中心軸Ｐ１に対して対称となる位置に透明平板８Ｂ，８Ｃが挿入されている。
以上の装置であれば、光入出射部平面型のＡＴＲプリズム８Ａの代わりに同じ光学的光路長を有する透明平板８Ｂ，８Ｃを挿入することで、全反射測定と反射測定の測定部位の位置（測定光の結像位置）Ｃ５が一致する。従って、全反射測定から反射測定や反射観察への切り換えをスムーズに実行できて、低倍率の反射測定と低倍率のＡＴＲ測定の両立を実現できる。
【００４０】
なお、本実施形態では、上記のフーリエ変換型分光器を用いた例を示したが、もちろん分散型の分光器を用いてもよい。また、光照射手段側に分光器を配置した例を示したが、光検出手段側に配置してもよい。
また、ＡＴＲプリズムは、挿抜（さしぬき）式として退避可能に設けられているとよい。ＡＴＲプリズムを挿抜式として退避させることで、全反射測定から反射観察や反射測定への切り換えが可能となる。
【００４１】
レボルバーに低倍率の対物鏡と高倍率の対物鏡とを複数取り付けて、選択可能にしてもよい。レボルバーの動作により所望の対物鏡を選択できるので、非常に使い勝手がよい。
【００４２】
また、本実施形態の顕微装置はマッピング測定機能を有するものであるが、本発明に係る全反射測定装置は、このような面分析に限られず、点分析用の測定装置としても有効に適用される。
【符号の説明】
【００４３】
１          ＡＴＲ装置（全反射測定装置）
２          平面鏡
４ａ，４ｂ  中間鏡
６ａ，６ｂ  楕円面鏡
８          ＡＴＲプリズム（ＡＴＲ結晶）
１０      赤外顕微装置
【図１】
2018194444.tif 000003
【図２】
2018194444.tif 000004
【図３】
2018194444.tif 000005
【図４】
2018194444.tif 000006
【図５】
2018194444.tif 000007